(57)【要約】      （修正有）【課題】家庭の冷蔵庫における収納庫の収納スペースを縦横に仕切ることにより、食品等の収納物を整理した状態で収納できるようにした仕切装置を提供する。【解決手段】メイン仕切装置４とサブ仕切装置５の組み合わせにより構成され、収納庫の平面上のＸ軸とＹ軸に関して、メイン仕切装置４は、それぞれＸ軸方向に延びる底板６ａ、６ｂの両側に該Ｘ軸に沿う壁面を形成する仕切板７ａ、７ｂを立設した第１仕切体４ａと第２仕切体４ｂを備える。さらに、第１仕切体４ａと第２仕切体４ｂをＸ軸方向に伸縮自在に連結しており、サブ仕切装置５は、Ｘ軸方向に延びる底板９の両端にＹ軸に沿う壁面を形成する仕切板１０を立設しており、サブ仕切装置５をメイン仕切装置４に内嵌することにより、サブ仕切装置５の仕切板１０をメイン仕切装置の一対の仕切板７ａ、７ｂの間に交差状態で挿入するように構成されている。【選択図】図１
0003179878.tif 000002
【実用新案登録請求の範囲】
【請求項１】
水平配置される底壁(2)の平面上で相互に直交するＸ軸とＹ軸に関して、Ｘ軸に平行な一対の側壁(3a,3a)とＹ軸に平行な一対の側壁(3b,3b)を前記底壁に立設して成る冷蔵庫の収納庫(1)を縦横に仕切る装置であり、メイン仕切装置(4)とサブ仕切装置(5)の組み合わせにより構成され、
前記メイン仕切装置(4)は、それぞれＸ軸方向に延びる底板(6a)(6b)の両側に該Ｘ軸に沿う壁面を形成する仕切板(7a,7a)(7b,7b)を立設した第１仕切体(4a)と第２仕切体(4b)を備え、第１仕切体(4a)と第２仕切体(4b)をＸ軸方向に伸縮自在に連結しており、
前記サブ仕切装置(5)は、Ｘ軸方向に延びる底板(9)の両端にＹ軸に沿う壁面を形成する仕切板(10,10)を立設しており、
前記サブ仕切装置(5)の底板(9)は、前記メイン仕切装置(4)の底板(6a,6b)の上に載置可能に構成され、前記サブ仕切装置(5)の仕切板(10,10)は、前記メイン仕切装置の一対の仕切板(7a,7a)(7b,7b)の間に交差状態で挿入可能に構成されて成ることを特徴とする冷蔵庫の収納庫における仕切装置。
【請求項２】
前記メイン仕切装置(4)の第１仕切体(4a)は、Ｘ軸方向に関して厚肉底板(14)及び厚肉仕切板(16,16)のそれぞれから薄肉底板(15)及び薄肉仕切板(17,17)を延設し、前記厚肉底板と薄肉底板の肉厚差による底部段差(18)を上側に形成すると共に、前記厚肉仕切板と薄肉仕切板の肉厚差による側部段差(19,19)を内側に形成しており、
前記メイン仕切装置(4)の第２仕切体(4b)は、底板(9)の肉厚を前記底部段差(18)に対応して形成すると共に、仕切板(10,10)の肉厚を前記側部段差(19,19)に対応して形成し、該第２仕切体(4b)の底板(9)と仕切板(10,10)を前記第１仕切体(4a)の薄肉底板(15)及び薄肉仕切板(17,17)に摺動自在に内嵌して成ることを特徴とする請求項１に記載の冷蔵庫の収納庫における仕切装置。
【請求項３】
複数のメイン仕切装置(4,4)をＸ軸方向に延長配置可能に構成すると共に、隣り合うメイン仕切装置(4)(4)の底板(6a,6b)を相互に着脱自在に連結する連結手段(26)を設けており、前記連結手段(26)は、相互に係止可能な下向きフック片(27)と上向きフック片(28)により構成され、
メイン仕切装置(4)の底板の幅方向中央に位置するＸ軸に対して、第１仕切体(4a)の底板(6a)の端縁に設けた連結手段(26)は、下向きフック片(27R)を右側に配置すると共に上向きフック片(28L)を左側に配置しており、第２仕切体(4b)の底板(6b)の端縁に設けた連結手段(26)は、下向きフック片(27L)を左側に配置すると共に上向きフック片(28R)を右側に配置して成ることを特徴とする請求項１又は２に記載の冷蔵庫の収納庫における仕切装置。
【考案の詳細な説明】
【技術分野】
【０００１】
本考案は、家庭の冷蔵庫における収納庫の収納スペースを好適に仕切ることにより、食品等の収納物を整理した状態で収納できるようにした仕切装置に関する。
【背景技術】
【０００２】
従来、冷蔵庫における抽斗式の収納庫に使用する仕切装置として、種々のものが提供されている。
【先行技術文献】
【特許文献】
【０００３】
【特許文献１】実開昭６１−９８９８４号公報
【特許文献２】実開平７−３５９７８号公報
【特許文献３】登録実用新案第３０４６１７０号公報
【考案の概要】
【考案が解決しようとする課題】
【０００４】
特許文献１及び２に示される仕切装置は、収納庫の内部に仕切板を挿入する際に、各仕切板を保持するレール付き基台やボックスが必要であり、使い勝手が悪く、しかも、仕切り後の収納スペースがスッキリしない。
【０００５】
また、特許文献３に示される仕切装置は、蛇腹壁により伸縮自在とした区画壁により収納庫の内部を自在に仕切ることができるが、ジグザグ状の蛇腹壁がデッドスペースを形成するので、収納庫の収納スペースを有効利用できない問題があり、しかも、収納スペースを縦横に仕切ることができないので、使い勝手が悪い。
【課題を解決するための手段】
【０００６】
本考案は、上記課題を解決した冷蔵庫の収納庫に使用する仕切装置を提供するものであり、その手段として構成したところは、水平配置される底壁の平面上で相互に直交するＸ軸とＹ軸に関して、Ｘ軸に平行な一対の側壁とＹ軸に平行な一対の側壁を前記底壁に立設して成る冷蔵庫の収納庫を縦横に仕切る装置であり、メイン仕切装置とサブ仕切装置の組み合わせにより構成され、前記メイン仕切装置は、それぞれＸ軸方向に延びる底板の両側に該Ｘ軸に沿う壁面を形成する仕切板を立設した第１仕切体と第２仕切体を備え、第１仕切体と第２仕切体をＸ軸方向に伸縮自在に連結しており、前記サブ仕切装置は、Ｘ軸方向に延びる底板の両端にＹ軸に沿う壁面を形成する仕切板を立設しており、前記サブ仕切装置の底板は、前記メイン仕切装置の底板の上に載置可能に構成され、前記サブ仕切装置の仕切板は、前記メイン仕切装置の一対の仕切板の間に交差状態で挿入可能に構成されて成る点にある。
【０００７】
本考案の好ましい実施形態において、前記メイン仕切装置の第１仕切体は、Ｘ軸方向に関して厚肉底板及び厚肉仕切板のそれぞれから薄肉底板及び薄肉仕切板をに延設し、前記厚肉底板と薄肉底板の肉厚差による底部段差を上側に形成すると共に、前記厚肉仕切板と薄肉仕切板の肉厚差による側部段差を内側に形成しており、前記メイン仕切装置の第２仕切体は、底板の肉厚を前記底部段差に対応して形成すると共に、仕切板の肉厚を前記側部段差に対応して形成し、該第２仕切体の底板と仕切板を前記第１仕切体の薄肉底板及び薄肉仕切板に摺動自在に内嵌している。
【０００８】
好ましくは、複数のメイン仕切装置をＸ軸方向に延長配置可能に構成すると共に、隣り合うメイン仕切装置の底板を相互に着脱自在に連結する連結手段を設けており、前記連結手段は、相互に係止可能な下向きフック片と上向きフック片により構成され、メイン仕切装置の底板の幅方向中央に位置するＸ軸に対して、第１仕切体の底板の端縁に設けた連結手段は、下向きフック片を右側に配置すると共に上向きフック片を左側に配置しており、第２仕切体の底板の端縁に設けた連結手段は、下向きフック片を左側に配置すると共に上向きフック片を右側に配置している。
【考案の効果】
【０００９】
本考案によれば、メイン仕切装置４は、それぞれＸ軸方向に延びる底板６ａ、６ｂの両側に該Ｘ軸に沿う壁面を形成する仕切板７ａ、７ｂを立設した第１仕切体４ａと第２仕切体４ｂを備え、第１仕切体４ａと第２仕切体４ｂをＸ軸方向に伸縮自在に連結しているので、前記伸縮を介して仕切板７ａ、７ｂを収納庫１の収納スペースのＸ軸方向全長にわたる長さとして挿入設置することが可能である。そして、サブ仕切装置５は、Ｘ軸方向に延びる底板９の両端にＹ軸に沿う壁面を形成する仕切板１０、１０を立設し、前記底板９をメイン仕切装置４の底板６の上に載置することにより、前記仕切板１０、１０をメイン仕切装置４の一対の仕切板７、７の間に交差状態で挿入されるものであるから、これにより収納庫１の収納スペースを縦横に仕切ることが可能となる。
【００１０】
そして、メイン仕切装置４とサブ仕切装置５の組み合わせによる配置形態を選択することにより、多種多様なバリエーションが可能であり、任意の使用方法で仕切られた平面視を矩形とする仕切スペースに所望の食品等の要冷凍物品又は要冷蔵物品を整理した状態で収納することができる。
【図面の簡単な説明】
【００１１】
【図１】本考案の１実施形態に関し、メイン仕切装置とサブ仕切装置を示す斜視図である。
【図２】サブ仕切装置を示しており、（Ａ）は上部を示す斜視図、（Ｂ）は底部を示す斜視図である。
【図３】メイン仕切装置を示す斜視図である。
【図４】メイン仕切装置に関し、第１仕切体と第２仕切体の上部を示す斜視図である。
【図５】メイン仕切装置に関し、第１仕切体と第２仕切体の底部を示す斜視図である。
【図６】メイン仕切装置とサブ仕切装置を組み合わせた状態の縦断面図である。
【図７】本考案の使用例の１例を示す横断面図である。
【考案を実施するための形態】
【００１２】
以下図面に基づいて本考案の好ましい実施形態を詳述する。
【００１３】
＜全体的構成＞
本考案の仕切装置が使用される冷蔵庫の収納庫は、家庭の冷蔵庫における抽斗式の収納庫、例えば、冷凍庫であり、図７に示す平面視において、収納庫１は、水平配置される底壁２の平面上で相互に直交するＸ軸とＹ軸に関して、Ｘ軸に平行な一対の側壁３ａ、３ａとＹ軸に平行な一対の側壁３ｂ、３ｂを前記底壁２に立設した上部開口の箱形に形成されている。
【００１４】
本考案の仕切装置は、メイン仕切装置４とサブ仕切装置５の組み合わせにより構成されており、前記収納庫１の内部の収納スペースの全体を縦横に仕切ることを可能とする。内部スペースの仕切り方は、メイン仕切装置４とサブ仕切装置５の組み合わせによる配置形態を選択することにより、多種多様なバリエーションが可能であり、ユーザは、任意の使用方法で仕切られた平面視を矩形とする仕切スペースに所望の食品等の要冷凍物品又は要冷蔵物品を整理した状態で収納することができる。例えば、市販の冷凍食品は、偏平な箱にパックされたり、袋にパックされたりしているので、種類毎に整理した状態で仕切スペースに装填すれば良い。
【００１５】
図１に示すように、メイン仕切装置４は、第１仕切体４ａと第２仕切体４ｂをＸ軸方向に伸縮自在に連結することにより構成されている。第１仕切体４ａは、Ｘ軸方向に延びる底板６ａの両側に該Ｘ軸に沿う壁面を形成する仕切板７ａ、７ａを立設しており、第２仕切体４ｂは、Ｘ軸方向に延びる底板６ｂの両側に該Ｘ軸に沿う壁面を形成する仕切板７ｂ、７ｂを立設している。この際、前記第１仕切体４ａの仕切板７ａ、７ａ及び第２仕切体４ｂの仕切板７ｂ、７ｂには、縦方向スリット等の通気孔８を開設することが好ましい。
【００１６】
これに対して、サブ仕切装置５は、Ｘ軸方向に延びる底板９の両端にＹ軸に沿う壁面を形成する仕切板１０、１０を立設している。この際、仕切板１０、１０には、縦方向スリット等の通気孔１１を開設することが好ましい。
【００１７】
メイン仕切装置４は、第１仕切体４ａにおける仕切板７ａ、７ａの間の内法寸法と、第２仕切体４ｂにおける仕切板７ｂ、７ｂの間の内法寸法を相互に等しい内法寸法Ｗ１とするように形成され、サブ仕切装置５は、底板９及び仕切板１０、１０の幅寸法（外法寸法）を等しい幅寸法Ｗ２とするように形成されており、Ｗ１≧Ｗ２となるように構成されている。従って、サブ仕切装置５の底板９は、メイン仕切装置４の底板６ａ、６ｂの上に載置可能であると共に、Ｘ軸方向に摺動可能であり、サブ仕切装置５の仕切板１０、１０は、メイン仕切装置４の一対の仕切板７、７の間に交差状態で挿入可能とされている。即ち、サブ仕切装置５は、メイン仕切装置４に内嵌することが可能である。
【００１８】
上記構成に基づき、仕切装置は、メイン仕切装置４にサブ仕切装置５を内嵌した状態で収納庫１に挿入し、必要に応じて収納庫１の空きスペースに別個のサブ仕切装置５を挿入することにより、図７に示すように、収納庫１の収納スペースの全体をＸ軸とＹ軸に関して縦横に仕切ることができる。
【００１９】
＜サブ仕切装置＞
サブ仕切装置５は、上述のようなシンプルな構成とされ、図２に示すように、底板９の底面に周方向のリブ１２と中央のリブ１３を設け、縦方向スリットを形成する通気孔１１を前記周方向のリブ１２の底面に開口させている。
【００２０】
＜メイン仕切装置＞
メイン仕切装置４の詳細は、図３ないし図６に示されている。図４及び図５に示すように、メイン仕切装置４を構成する第１仕切体４ａは、Ｘ軸方向に関して、厚肉底板１４から薄肉底板１５を延設することにより上記底板６ａを構成すると共に、厚肉仕切板１６、１６から薄肉仕切板１７、１７を延設することにより上記仕切板７ａ、７ａを構成しており、前記厚肉底板１４と薄肉底板１５の肉厚差による底部段差１８を底板６ａの上面に形成すると共に、前記厚肉仕切板１６と薄肉仕切板１７の肉厚差による側部段差１９を仕切板７ａ、７ａの内側面に形成している。
【００２１】
これに対して、メイン仕切装置４を構成する第２仕切体４ｂは、底板６ｂの肉厚を前記底部段差１８に対応するように薄肉に形成すると共に、仕切板７ｂ、７ｂの肉厚を前記側部段差１９、１９に対応するように薄肉に形成し、該第２仕切体４ｂの底板６ｂと仕切板７ｂ、７ｂを前記第１仕切体４ａの薄肉底板１５及び薄肉仕切板１７，１７に摺動自在に内嵌するように構成されている。従って、第１仕切体４ａと第２仕切体４ｂを相互に摺動させることにより、メイン仕切装置４は、Ｘ軸方向に伸縮自在とされる。
【００２２】
好ましくは、図示のように、第１仕切体４ａの薄肉仕切板１７、１７の上縁を厚肉仕切板１６、１６の上縁よりもやや低く形成し、該薄肉仕切板１７、１７の上縁が第２仕切体４ｂの仕切板７ｂ、７ｂの上縁から外向きに張出し形成したガイドリブ２０、２０に沿って摺動するように構成すると共に、該ガイドリブ２０から下向きに延設した保持片２１により前記薄肉仕切板１７の上縁の側面を摺動自在に保持するように構成することが好ましい。
【００２３】
これにより、第２仕切体４ｂの底板６ｂ及び仕切板７ｂ、７ｂが第１仕切体４ａの底部段差１８及び側部段差１９に当接するまで両仕切体４ａ、４ｂを摺動させたとき、メイン仕切装置４は、Ｘ軸方向に最小寸法とされるように収縮される。尚、この状態で、第１仕切体４ａの厚肉底板１４と第２仕切体７ｂの底板６ｂの上面が面一とされる。
【００２４】
反対に、第２仕切体７ｂの底板６ｂ及び仕切板７ｂ、７ｂと第１仕切体４ａの薄肉底板１５及び薄肉仕切板１７、１７が相互に対向縁部の部分だけをオーバラップするように両仕切体４ａ、４ｂを摺動させたとき、メイン仕切装置４は、Ｘ軸方向に最大寸法とされるように伸長される。
【００２５】
このような摺動の動作を補助するため、図５に示すように、第１仕切体４ａの薄肉底板１５にＸ軸方向のスリット２２が開設され、第２仕切体７ｂの底板６ｂの底部に前記スリット２２に摺動自在に挿入される断面Ｔ形のガイド片２３が設けられている。ガイド片２３は、断面Ｔ形の脚部をスリット２２に挿通され、頭部をスリット２２の両側で薄肉底板１５の底面に摺擦する。
【００２６】
第１仕切体４ａの薄肉底板１５の底部には、スリット２２の両側に沿う座リブ２４が形成され、前記ガイド片２３の頭部が座リブ２４の内側に納まるように構成しており、該頭部により、ガイド片２３の抜止め手段を形成する。第２仕切体７ｂを最大伸長位置まで摺動させることによりガイド片２２をスリット２２の端部に移動したとき、スリット２２の端部にはガイド片２３の頭部を挿脱可能とする幅広部２２ａ（図４参照）が形成されている。この際、幅広部２２ａは、最大伸長位置まで摺動させられたガイド片２３を当接させるストッパとして機能する。図示実施形態の場合、第１仕切体４ａの薄肉仕切板１７、１７の上部コーナ部分に断面楔形の隆起部２５が設けられ、最大伸長位置において、第２仕切体７ｂの保持片２１を隆起部２５により受止めることによりストッパとして機能する。従って、前記ガイド片２３と幅広部２２ａにより底板６ａ、６ｂを相互に伸長不能とするストッパ手段が構成され、前記保持片２１と隆起部２５により仕切板７ａ、７ｂを相互に伸長不能とするストッパ手段が構成されている。
【００２７】
図示実施形態の場合、図５に示すように、第１仕切体４ａの仕切板７ａ、７ａの下端部は、前記座リブ２４と面一となるように底板６ａから突出され、縦方向スリットを形成する通気孔８により前記仕切板７ａ、７ａの突出下端部を分割している。これにより、底板６ａの下方に図示のような鋸歯状の突部が形成され、メイン仕切装置４を収納庫１の底壁２に載置した際の滑り止め手段を構成する。
【００２８】
図６及び図７に示すように、メイン仕切装置４は、Ｘ軸方向に向けて複数のメイン仕切装置４、４を延長配置することが可能であり、隣り合うメイン仕切装置４、４の底板６ａ、６ｂの突き合わせられる端縁を相互に着脱自在に連結する連結手段２６が設けられている。
【００２９】
連結手段２６は、相互に係止可能な下向きフック片２７と上向きフック片２８により構成されており、メイン仕切装置４の底板６ａ、６ｂの幅方向中央に位置するＸ軸に対して、図５に示すように、第１仕切体４ａの底板６ａの端縁に設けた連結手段２６は、下向きフック片２７Ｒを右側に配置すると共に上向きフック片２８Ｌを左側に配置しており、第２仕切体４ｂの底板６ｂの端縁に設けた連結手段２６は、下向きフック片２７Ｌを左側に配置すると共に上向きフック片２８Ｒを右側に配置している。
【００３０】
上記連結手段２６の構成により、配列される一対のメイン仕切装置４、４は、相互に第１仕切体４ａと第２仕切体４ｂを突き合わせた状態では、第１仕切体４ａの右側下向きフック片２７Ｒと第２仕切体４ｂの右側上向きフック片２８Ｒが相互に係止し、第１仕切体４ａの左側上向きフック片２８Ｌと第２仕切体７ｂの左側下向きフック片２７Ｌが相互に係止する。
【００３１】
一方のメイン仕切装置４の姿勢を反対向きとして、一対のメイン仕切装置４、４の第１仕切体４ａ、４ａを相互に突き合わせた場合は、それぞれの右側下向きフック片２７Ｒと左側上向きフック片２８Ｌが係止する。また、第２仕切体４ｂ、４ｂを相互に突き合わせた場合は、それぞれの右側上向きフック片２８Ｒと左側下向きフック片２７Ｌが係止する。
【００３２】
＜仕切装置の使用例＞
図７は、本考案の仕切装置の１使用例を示しており、収納庫１の中央に位置してＸ軸方向に配列させた一対のメイン仕切装置４、４を挿入し、該メイン仕切装置４、４に１つのサブ仕切装置５を内嵌させ、更に、メイン仕切装置４、４の両側の空きスペースにサブ仕切装置５を挿入している。尚、サブ仕切装置５は、メイン仕切装置４の任意の個所に挿入可能であり、挿入状態でＸ軸方向に摺動することも可能である。図示のように、メイン仕切装置４は、伸縮自在に構成されているため、収納スペースのＸ軸方向全長にわたり仕切板７ａ、７ｂを延設することが可能であり、内法寸法の異なる収納庫１に対して自在に適用できる。Ｘ軸方向に延びる収納庫１の側壁３ａ、３ａとメイン仕切装置４の仕切板７に対して、所望の位置に挿入したサブ仕切装置５の仕切板１０、１０を交差配置させ、これにより収納スペースの縦横方向の仕切りを可能にする。
【００３３】
図例の使用例の他、本考案によれば、メイン仕切装置４とサブ仕切装置５の組み合わせによる配置形態を選択することにより、多種多様なバリエーションが可能であり、ユーザは、任意の使用方法で仕切られた平面視を矩形とする仕切スペースに所望の食品等の要冷凍物品又は要冷蔵物品を整理した状態で収納することができる。
【符号の説明】
【００３４】
１  収納庫
２  底壁
３ａ、３ｂ  側壁
４  メイン仕切装置
４ａ  第１仕切体
４ｂ  第２仕切体
５  サブ仕切装置
６ａ、６ｂ  底板
７ａ、７ｂ  仕切板
８  通気孔
９  底板
１０  仕切板
１１  通気孔
１２、１３  リブ
１４  厚肉底板
１５  薄肉底板
１６  厚肉仕切板
１７  薄肉仕切板
１８  底部段差
１９  側部段差
２０  ガイドリブ
２１  保持片
２２  スリット
２３  ガイド片
２４  座リブ
２５  隆起部
２６  連結手段
２７  下向きフック片
２８  上向きフック片
【図１】
0003179878.tif 000003
【図２】
0003179878.tif 000004
【図３】
0003179878.tif 000005
【図４】
0003179878.tif 000006
【図５】
0003179878.tif 000007
【図６】
0003179878.tif 000008
【図７】
0003179878.tif 000009